(57)【要約】      （修正有）【課題】人がぶら下がってもプロジェクター支持装置のアーム部に設けられた弾性部材によってプロジェクターを上方に張引する力が働いているため、急激に落下することを防止するとともに、プロジェクターおよびプロジェクター支持装置を破損させることもない安全対策を備えたプロジェクター支持装置を提供する。【解決手段】プロジェクター200から映像が投射されるスクリーン側に設置されたベース部110と、プロジェクター200を保持するプロジェクター保持部120と、ベース部110とプロジェクター保持部120とを連結し、プロジェクター保持部120によって保持されているプロジェクター200を上方へ張引する弾性部材を含むアーム部130と、弾性部材によって上方へ張引されるプロジェクター200がスクリーンに映像を投射する位置で固定されるように、アーム部130の上方への移動を規制する規制部とを備える。【選択図】図１
2017198844.tif 000002
【特許請求の範囲】
【請求項１】
プロジェクターを支持するプロジェクター支持装置であって、
前記プロジェクターから映像が投射されるスクリーン側に設置されたベース部と、
前記プロジェクターを保持するプロジェクター保持部と、
前記ベース部と前記プロジェクター保持部とを連結し、前記プロジェクター保持部によって保持されているプロジェクターを上方へ張引する弾性部材を含むアーム部と、
前記弾性部材によって上方へ張引される前記プロジェクターが前記スクリーンに映像を投射する位置で固定されるように、前記アーム部の上方への移動を規制する規制部とを備える、プロジェクター支持装置。
【発明の詳細な説明】
【技術分野】
【０００１】
本発明は、黒板、ホワイトボード等に付設するプロジェクター支持装置に関し、より特定的には、安全対策を備えたプロジェクター支持装置に関する。
【背景技術】
【０００２】
一般的に、学校等の教育現場、研修会場、及びプレゼンテーション会場等では、黒板、ホワイトボード、あるいは大型スクリーン等を用いて、授業、講義、及びプレゼンテーション等が実施されている。また、このような黒板等には、チョークやペンで直接文字が書かれる場合だけでなく、プロジェクターを用いて文字や図形が投射されることも行われている。
【０００３】
プロジェクターは、映像の投射面である黒板等の前方に設置した台座に載置して操作することも可能であるが、最近では黒板等の固定型ボードの上部近傍にレールを付設し、当該レールに沿ってプロジェクターを走行させるプロジェクター支持装置を設置することによって、黒板等の適切な箇所に映像を投射する機構も採用されてきている。
【０００４】
しかしながら、このような機構を採用した場合、プロジェクター支持装置のアーム部分が黒板の前方に突出する形になるため、当該アームに人がぶら下がってしまうという問題があった。特に、このようなプロジェクター支持装置は学校の黒板に付設されることも多いため、幼い児童がぶら下がった場合の安全対策を万全にしておくことが重要である。
【０００５】
そのため、ある程度の負荷がかかるとアームが破損し、人がぶら下がることを防止しようとする壁面固定式アーム等が存在した（特許文献１）。
【先行技術文献】
【特許文献】
【０００６】
【特許文献１】特開２０１０−１７５８９７号公報
【発明の概要】
【発明が解決しようとする課題】
【０００７】
しかしながら、このようにアーム部を破損させることによってぶら下がり防止機能を果たそうとする場合、結局ぶら下がられたアーム部は破損してしまうため、安全対策という意味では不安な点があった。また、一度アーム部が破損してしまうと、プロジェクターの再取付や設定等の復旧に手間がかかるうえ、そもそも高価なプロジェクターが損壊してしまうおそれもあった。
【０００８】
それ故に、本発明は、上記のような課題に鑑みてなされたものであって、本発明の目的の１つは、人がぶら下がってもプロジェクター支持装置のアーム部に設けられた弾性部材によって当該プロジェクターを上方に張引する力が働いているため、急激に落下することを防止するとともに、プロジェクターおよびプロジェクター支持装置を破損させることもない安全対策を備えたプロジェクター支持装置を提供することである。
【課題を解決するための手段】
【０００９】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１０】
本発明の一局面に係るプロジェクター支持装置は、プロジェクターを支持するプロジェクター支持装置であって、前記プロジェクターから映像が投射されるスクリーン側に設置されたベース部と、前記プロジェクターを保持するプロジェクター保持部と、前記ベース部と前記プロジェクター保持部とを連結し、前記プロジェクター保持部によって保持されているプロジェクターを上方へ張引する弾性部材を含むアーム部と、前記弾性部材によって上方へ張引される前記プロジェクターが前記スクリーンに映像を投射する位置で固定されるように、前記アーム部の上方への移動を規制する規制部とを備える。
【００１１】
さらに、上述した本発明の一局面に係るプロジェクター支持装置が有するそれぞれの機能は、一連の手順を実現するプロジェクター支持方法として捉えることができる。
【発明の効果】
【００１２】
以上のように、本発明によれば、人がぶら下がってもプロジェクター支持装置のアーム部に設けられた弾性部材によって当該プロジェクターを上方に張引する力が働いているため、急激に落下することを防止するとともに、プロジェクターおよびプロジェクター支持装置を破損させることもない安全対策を備えたプロジェクター支持装置を実現することができる。
【図面の簡単な説明】
【００１３】
【図１】本発明の第１の実施形態に係るプロジェクター支持装置１００を示す図である。
【図２Ａ】映像投射位置に固定された状態のアーム部１３０を示す拡大図である。
【図２Ｂ】下方に荷重が掛かった状態のアーム部１３０を示す拡大図である。
【発明を実施するための形態】
【００１４】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００１５】
＜第１の実施形態＞
図１は、本発明の第１の実施形態に係るプロジェクター支持装置１００を示す図である。図１において、プロジェクター支持装置１００は、プロジェクター２００を支持するものであって、ベース部１１０と、プロジェクター保持部１２０と、アーム部１３０と、規制部１４０とを備えている。
【００１６】
なお、図１の（ａ）は、プロジェクター２００がスクリーンに向かって映像を投射中もしくは投射可能な状態である通常位置に固定された状態を示しており、図１の（ｂ）は、例えば、プロジェクター２００やアーム部１３０に人がぶら下がる等して下方に荷重が掛かった状態を示している。
【００１７】
ベース部１１０は、プロジェクター２００から映像が投射されるスクリーン側に設置されている。例えば、ベース部１１０は、壁面に設置された黒板やホワイトボードの上部枠の上に略鉛直方向に設置されており、上下方向の長さを調整可能もしくはアーム部１３０の設置位置を上下方向に調整可能としていても構わない。これにより、プロジェクター２００の高さ位置を調整可能となって、その結果、スクリーンに投影される映像の高さ位置を調整することができる。
【００１８】
プロジェクター保持部１２０は、プロジェクター２００を保持する。なお、プロジェクター保持部１２０は、保持しているプロジェクター２００の上下方向および／または横方向の角度を調整可能なようにチルト調整機構を有していても構わないし、上下方向および／または横方向の位置を調整可能なようにスライド機構を有していても構わない。
【００１９】
アーム部１３０は、ベース部１１０とプロジェクター保持部１２０とを連結し、プロジェクター保持部１２０によって保持されているプロジェクター２００を上方へ張引している。アーム部１３０の詳細な構造については後述する。
【００２０】
なお、図１の（ａ）においては、アーム部１３０には上方へ張引する力が働いているが規制部１４０によって、それ以上上方に移動しないように規制されている。アーム部１３０が当該位置で固定されることにより、プロジェクター２００の位置も固定され、スクリーンに投影される映像が安定して映し出されることになる。
【００２１】
プロジェクター２００やアーム部１３０に人がぶら下がると、図１の（ａ）状態から図１の（ｂ）状態になるが、この際、アーム部１３０には上方へ張引する力が働いているため、急激に落下することが軽減できる。
【００２２】
さらに、図１の（ｂ）において、制止部１５０がスクリーンに当接することにより、プロジェクター２００がスクリーンや壁面に衝突することを回避し、その結果、プロジェクター支持装置１００やプロジェクター２００を破損させることを防止している。なお、制止部１５０は、スクリーンとの衝突の際の衝撃を緩和するために、例えば、ゴム、バネ、またはガススプリング等の反発力を有する部材を含んで構成されていることが好ましい。
【００２３】
また、図１の（ｂ）においても、アーム部１３０には上方へ張引する力が働いているため、例えば、ぶら下がっていた人が手を離した場合、急にアーム部１３０には上方へ移動することがある。この場合、アーム部１３０が上方へ移動しないように、図１の（ｂ）においてロックを掛けても構わない。ロックが掛かった場合、アーム部１３０およびプロジェクター２００は、当該ロックが掛かった位置で固定されて安全性が確保されることになる。その後、ロックを解除すれば、アーム部１３０に上方へ張引する力が働いて、図１の（ａ）の状態に戻ればよい。
【００２４】
次に、アーム部１３０の詳細な構造について説明する。
図２Ａは、映像投射位置に固定された状態のアーム部１３０を示す拡大図であり、図２Ｂは、下方に荷重が掛かった状態のアーム部１３０を示す拡大図である。図２Ａおよび図２Ｂにおいて、アーム部１３０は、第１のアーム１３１と、第２のアーム１３２と、第１の回動軸Ａ１と、第２の回動軸Ａ２と、連結部１３３と、弾性部材１３４とを備える。なお、図２Ａおよび図２Ｂでは、第１の回動軸Ａ１、第２の回動軸Ａ２、連結部１３３、および弾性部材１３４は、複数備えられているが、ここでは説明する便宜上、それぞれ１つに参照符号を付して説明している。
【００２５】
第１の回動軸Ａ１は、第１のアーム１３１に所定の間隔で複数備えられており、第２の回動軸Ａ２は、第２のアーム１３２に所定の間隔で複数備えられている。第１の回動軸Ａ１と第２の回動軸Ａ２とはそれぞれ対応するように備えられており、連結部１３３の一端が第１の回動軸Ａ１、他端が第２の回動軸Ａ２において回動するように配置されている。
【００２６】
そして、複数の連結部１３３は略同一の長さで、それぞれ同じように第１の回動軸Ａ１と第２の回動軸Ａ２に備えられているため、第１のアーム１３１と第２のアーム１３２とは並行に配置される。
【００２７】
また、プロジェクター２００またはアーム部１３０に下方向の荷重が掛かって、プロジェクター２００が保持されている側のアーム部１３０が下方に下がったとしても、図２Ｂに示すように、第１のアーム１３１と第２のアーム１３２との距離は変化するものの並行状態は維持されている。
【００２８】
弾性部材１３４は一端が第１の回動軸Ａ１に備え付けらており、他端は、当該第１の回動軸Ａ１に対応する第２の回動軸Ａ２に隣り合う別の第２の回動軸Ａ２に備え付けられている。弾性部材１３４は、典型的には、コイルバネや弾性を有するゴム等である。
【００２９】
以上のように、本発明の第１の実施形態に係るプロジェクター支持装置１００によれば、人がぶら下がってもプロジェクター支持装置１００のアーム部１３０に設けられた弾性部材１３４によってプロジェクター２００を上方に張引する力が働いているため、急激に落下することを防止することができる。さらに、プロジェクター支持装置１００は、プロジェクター２００およびプロジェクター支持装置１００を破損させることもない安全対策機能を備えている。
【００３０】
なお、本実施形態においては、安全対策としてのプロジェクター支持装置１００について説明したが、プロジェクター支持装置１００としては、この用途および機能に限定されるものではない。例えば、高い位置に設置されたプロジェクターに関して、当該プロジェクターを清掃する場合、電源のオンオフする場合、故障発生時の確認の場合、部品取替えの場合等、プロジェクターを低い位置に移動させたい場合にも有用である。
【００３１】
さらには、プロジェクター支持装置１００のアーム部１３０の構造を用いれば、プロジェクターだけでなく、例えば、特に、高い位置に設置されるテレビやモニター等の電子機器、および掲示板について、それらを移動可能として支持することもできる。
【００３２】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００３３】
本発明は、プロジェクター支持装置等に利用可能であって、さらに高い位置に設置される対象物を移動可能に支持する場合等に有用である。
【符号の説明】
【００３４】
１００  プロジェクター支持装置
１１０  ベース部
１２０  プロジェクター保持部
１３０  アーム部
１３１  第１のアーム部
１３２  第２のアーム部
１３３  連結部
１３４  弾性部材
１４０  規制部
１５０  制止部
２００  プロジェクター
Ａ１    第１の回動軸
Ａ２    第２の回動軸
【図１】
2017198844.tif 000003
【図２Ａ】
2017198844.tif 000004
【図２Ｂ】
2017198844.tif 000005